(57)【特許請求の範囲】
【請求項１】
基端部の近傍にバランスウエイト装入用開口を有し前記基端部が取付面に固定されて略鉛直に立設される中空のポール本体と、滑車を有しこの滑車に中間部が掛けられ一端部が前記ポール本体の外側に垂下し他端部が前記ポール本体の内側に垂下した架台吊下ワイヤを有して前記ポール本体の上端部に取付けられた基台と、前記ポール本体の外側に昇降自在に設けられて前記架台吊下ワイヤの一端部に連結されるとともに照明器具を取付けた昇降架台と、前記バランスウエイト装入用開口より挿入されて前記ポール本体の内側で昇降可能に前記架台吊下ワイヤの他端部に連結されたバランスウエイトと、このバランスウエイトを昇降させることにより前記昇降架台を昇降させる昇降機構と、前記ポール本体に設けられて前記昇降機構を制御する制御盤とを備え、
前記バランスウエイトは、係止突部を有して前記架台吊下ワイヤの他端部に取付けられた支持体と、この支持体に積層可能な複数のウエイトユニットからなり、
前記制御盤は前記係止突部に係脱自在に係止して前記支持体の移動を規制する係止片を有し、
前記バランスウエイトの前記ウエイトユニットを前記バランスウエイト装入用開口から前記支持体に積層可能とした照明ポール。
【請求項２】
前記照明器具への給電用の電源ケーブルの前記バランスウエイト装入用開口の近傍にコネクタを設け、コネクタを接続したとき前記昇降機構を不動作状態とした請求項１記載の照明ポール。
【請求項３】
前記ポール本体の前記制御盤の上側に設けられて前記昇降架台の下降位置を支持する受け台と、前記受け台に設けられて前記昇降架台の下降位置を検知する下限リミットスイッチを有する請求項１記載の照明ポール。
【発明の詳細な説明】
【０００１】
【発明の属する技術分野】
この発明は、照明器具が昇降可能な照明ポールに関するものである。
【０００２】
【従来の技術】
駐車場、広場、公園などの広い空間において、高所からの照明が可能な照明ポールの保守・点検のため照明器具を昇降可能にしたり、また保守・点検の作業が困難な場所に使用する照明ポールの照明器具を昇降可能にしたものがある。
従来のこの種の照明ポールを図１１に示す。すなわち、この照明ポールは、基端部が取付面７２に固定されて略鉛直に立設される中空のポール本体７０と、滑車７１を有しこの滑車７１に中間部が掛けられ一端部がポール本体７０の外側に垂下し他端部がポール本体７０の内側に垂下した架台吊下ワイヤ７３を有してポール本体７０の上端部に取付けられた基台７４と、ポール本体７０の外側に昇降自在に設けられて架台吊下ワイヤ７３の一端部に連結されるとともに照明器具７５を取付けた昇降架台７６と、ポール本体７０の内側に昇降可能に架台吊下ワイヤ７３の他端部に連結されたバランスウエイト７７と、このバランスウエイト７７を昇降させることにより昇降架台７４を昇降させる昇降機構７８とを備えている。昇降機構７８は、両端がバランスウエイト７７に取付けられたチエーン７９、スプロケット８０，８１、モータ８２、上限用リミットスイッチ８２、下限用リミットスイッチ８３、ターンバックル８５の取付時のインターロック用リミットスイッチ８４、地震対策用ターンバックル８５、モータ・リミットスイッチ用ケーブル８６で構成されている。８７はポールに固定されたケーブル押え金具、８８はケーブル滑車、８９は照明用ケーブル、９０はバランスウエイト７７に設けられた動滑車、７４ａは基台カバーである。
【０００３】
この照明ポールは、図１２から図１６に示すように現場で組み立てられている。すなわち、図１２（ａ）は高さＡ＝２５ｍのポール本体７０を示し、図１２（ｂ）は昇降架台７６の灯具組立台を示している。図１２（ｃ）はポール本体７０をクレーン９１で吊り上げた状態を示している。図１３（ａ）はたとえば高さ１．８ｍの昇降架台受台（ローリングタワー）９２にポール本体７０の基端部をクレーン９１で挿入し、取付面に固定するとともに、ポール本体７０の上端部より昇降架台７６をクレーン９１で挿入した状態を示している。図１３（ｂ）は昇降架台７６を昇降架台受台９２に載せ、チエーン９３によりポール本体７０の基端部に固定するとともに、基台７４に避雷針９５、ワイヤ７３（滑車７１に）、バランスウエイト７７、キャブタイヤケーブル８７を装着し、ポール本体７０の高さの約２倍に吊り上げる状態を示している。図１４はポール取付部９６をポール本体７０の上端部に固定し、ワイヤ７３の先端を昇降架台７６に固定し、つぎに基台７４の下板７４ｂのセットボルト７４ｃを外す状態を示している。図１５は基台７４の天板７４ｄ側をクレーン９１で吊り上げるとワイヤ７３が緊張し、下板７４ｂに固定していたバランスウエイト７７のナット９７を外し、基台７４を除々に下ろす状態を示している。図１６は基台７４の下板７４ｂと天板７４ｄに付いた支柱７４ｅにセットボルト７４ｃを再度取付けて基台７４をポール本体７０に固定し、オニオリ線９８を接続し、カバー７４ａを取付けた状態を示している。カバー上部にはコーキング材が付設される。チエーン９３を外すと照明器具の付いた昇降架台７６が昇降可能となる。
【０００４】
その他の従来例として、ポール本体内に一体物のバランスウエイトを設置し、これを昇降するものや、ポール本体内にバランスウエイトなしでウインチやモータ等で直に昇降するものなどがある。
【０００５】
【発明が解決しようとする課題】
しかし、これらの照明ポールは、設計時点での重量設定が必要であり、また部材の組立は工場より部材の状態で出荷し、現場ですべてを組み立てる工法によるため、大型クレーンの使用や、クレーンのブームの必要高さがポール全高の約２倍必要であり、そのため高所作業の作業性が多く、危険であるなど施工面での問題があり、また施工後のフレキシビリティがなかった。
【０００６】
したがって、この発明の目的は、現場組立作業の簡略化、クレーンの小型化、高所作業時間の短縮が可能となり、組立作業をより安全に行なうことができる照明ポールを提供することである。
【０００７】
【課題を解決するための手段】
請求項１記載の照明ポールは、基端部の近傍にバランスウエイト装入用開口を有し前記基端部が取付面に固定されて略鉛直に立設される中空のポール本体と、滑車を有しこの滑車に中間部が掛けられ一端部が前記ポール本体の外側に垂下し他端部が前記ポール本体の内側に垂下した架台吊下ワイヤを有して前記ポール本体の上端部に取付けられた基台と、前記ポール本体の外側に昇降自在に設けられて前記架台吊下ワイヤの一端部に連結されるとともに照明器具を取付けた昇降架台と、前記バランスウエイト装入用開口より挿入されて前記ポール本体の内側で昇降可能に前記架台吊下ワイヤの他端部に連結されたバランスウエイトと、このバランスウエイトを昇降させることにより前記昇降架台を昇降させる昇降機構と、前記ポール本体に設けられて前記昇降機構を制御する制御盤とを備え、
前記バランスウエイトは、係止突部を有して前記架台吊下ワイヤの他端部に取付けられた支持体と、この支持体に積層可能な複数のウエイトユニットからなり、
前記制御盤は前記係止突部に係脱自在に係止して前記支持体の移動を規制する係止片を有し、
前記バランスウエイトの前記ウエイトユニットを前記バランスウエイト装入用開口から前記支持体に積層可能としたものである。
【０００８】
請求項１記載の照明ポールによれば、照明ポールを組み立てるとき、基台、昇降架台および昇降機構は予め組み込んでおき、バランスウエイトは現場でポール本体の基端部の近傍のバランスウエイト装入用開口から挿入し、架台吊下ワイヤに連結することにより、現場組立作業の簡略化、クレーンの小型化、高所作業時間の短縮が可能となり、組立作業をより安全に行なうことができる。
【０００９】
また、前記バランスウエイトが、前記架台吊下ワイヤに取付けられた支持体と、この支持体に積層可能な複数のウエイトユニットからなっているため、バランスウエイトの取付作業が安全で容易な作業となるとともに、バランスウエイト装入用開口を小さくできる。
【００１０】
請求項２記載の照明ポールは、請求項１において、前記照明器具への給電用の電源ケーブルの前記バランスウエイト装入用開口の近傍にコネクタを設け、コネクタを接続したとき前記昇降機構を不動作状態としたものである。
請求項２記載の照明ポールによれば、請求項１と同様な効果のほか、コネクタが接続されたままで昇降機構が動作しないので照明器具に給電されたまま照明器具が下降することがなく安全が図れる。
請求項３記載の照明ポールは、請求項１において、前記ポール本体の前記制御盤の上側に設けられて前記昇降架台の下降位置を支持する受け台と、前記受け台に設けられて前記昇降架台の下降位置を検知する下限リミットスイッチを有するものである。
請求項３記載の照明ポールによれば、請求項１と同様な効果のほか、受け台のリミットスイッチで昇降架台の下限停止を行なうことができるとともに、受け台で昇降架台を支持することができるので、万一昇降架台が落下した場合の落下防止装置の役目を果たすことができる。
【００１１】
【発明の実施の形態】
この発明の一実施の形態を図１から図１０により説明する。すなわち、この照明ポールは、ポール本体１と、基台２と、昇降架台３と、バランスウエイト４と、昇降機構５とを有する。ポール本体１は中空であって、基端部の近傍にバランスウエイト装入用開口６を有し、基端部が取付面７に固定されて略鉛直に立設されている。実施の形態では図６および図７に示すように、バランスウエイト装入用開口６を縦に２個形成し、蓋６ａで着脱自在に閉塞している。
【００１２】
基台２は、滑車８を有し、この滑車８に中間部が掛けられて一端部がポール本体１の外側に垂下し他端部がポール本体１の内側に垂下する架台吊下ワイヤ９を有し、ポール本体１の上端部に取付けられている。実施の形態ではワイヤ用滑車８が図４に示すように軸が並列になるように２個設けられている。さらに電源ケーブル用滑車１４、その補助滑車１５および昇降機構用滑車１６が軸を滑車８と直角にして基台２に設けられている。１７は飾り棒、１８はカバー取付台、１９は昇降架台用位置決め孔、２０はカバー取付台１８に取付けられて基台２を被冠するカバーである。
【００１３】
昇降架台３は、ポール本体１の外側に昇降自在に設けられて架台吊下ワイヤ９の一端部に連結されるとともに照明器具１０を取付けている。実施の形態において、図５に示すように２１は昇降中のポール本体１の外面の損傷を防ぐため架台内部に設けたガイドローラ、２２は安定器３０の取付台、２３は昇降架台３の上昇時に基台２の位置決め孔１９に嵌合する昇降架台上限時位置決め用軸であるピボット、２４は照明器具１０を取付ける取付台である。昇降架台３は２個の滑車８の各々に掛けられた２本の架台吊下ワイヤ９で支持されており、安全性が高い。
【００１４】
バランスウエイト４は、バランスウエイト装入用開口６より挿入されてポール本体１の内側で昇降可能に架台吊下ワイヤ９の他端部に連結されている。実施の形態ではバランスウエイト４は、上端部を架台吊下ワイヤ９の端部に連結されたたとえば柱状の支持体２５と、この支持体２５の支持突部２５ａに積層可能な複数のウエイトユニット４ａからなっている。支持体２５はポール本体１の内部に設けられたガイドレール３３に案内されて、バランスウエイト４の昇降を可能にするとともに地震時などにポール本体１内のバランスウエイト４が回転移動するのを防止する。またバランスウエイト４の重量は昇降架台３の全体の重量よりも大きく、通常ではバランスウエイト４の重量により昇降架台３を基台２の近くの上昇位置に支持する。各ウエイトユニット４ａは支持体２５に横方向から挿入し係合できる切欠４ｂ（図３参照）を形成し、各々単独の重量が５ｋｇ程度であり、これを２０枚ずつ２組支持突部２５ａに積載している。このバランスウエイト４は積層式ウエイトであり、必要枚数を設置することにより構成でき、器具灯数（昇降架台部重量）に対応できるようになっている。また２本の架台吊下ワイヤ９で吊下げているため、万一１本が切れても昇降架台３は落下せず、もう１本のワイヤ９で支持されている。このように、バランスウエイト４は、ウエイトユニット４ａにバランサ取付チャンネルを設け、昇降架台３の重量に見合うバランサを取付けることができ、かつ昇降架台３において、アーム灯数の変更等に伴う重量の変更をバランサで重量調整ができる構造となっている。
【００１５】
昇降機構５は、バランスウエイト４を昇降させることにより昇降架台３を昇降させる。この昇降機構５はポール本体１の基端部側に設けられて基台２に設けた昇降機構用滑車１６に昇降機用ワイヤ２６を掛け、その一端を弛み検知用滑車２８を介して電動ワイヤドラムをもつワイヤウインチ２７に接続し、他端をバランスウエイト４に接続している。ワイヤウインチ２７を駆動してワイヤ２６を巻取ることによりバランスウエイト４を上方に吊り上げて昇降架台３を下降し、またワイヤ２６を巻き戻すことによりバランスウエイト４を下方に吊り下ろして昇降架台３を上方に吊り上げる。このワイヤウインチ２７は、操作スイッチ１３および制御盤２９の動作により制御するものである。ワイヤウインチ２７の駆動は後述のケーブルコネクタ１２を分離することにより始めて動作できる安全設計になっている。また操作スイッチ１３はケーブルコネクタ１２を分離後、操作スイッチ１３を押した状態のみ動作する構造となっており動作途中の安全性を向上している。昇降架台３の下降位置はポール本体１に設けた受け台３１に支持される位置であり、受け台３１に下限リミットスイッチ３２を設け、下限リミットスイッチ３２の動作でワイヤウインチ２７の動作を停止する。一方昇降架台３の上昇位置はバランスウエイト４が最下位位置に停止したときのワイヤ２６の弛みに応じて移動する弛み検知滑車２８の動作を検知する弛み検知スイッチ（図示せず）を設け、弛み検知スイッチの動作によりワイヤウインチ２７を停止する。
【００１６】
また給電用の電源ケーブル１１が滑車１４および補助滑車１５に掛けられて、その一端が照明器具１０に接続され、他端にコネクタ受け３４を設け、バランスウエイト４の収納部に収納している。一方、バランスウエイト装入用開口６の近傍にコネクタ１２を設け、昇降架台３が基台２に近接した状態でコネクタ１２に接近したコネクタ受け３４をコネクタ１２に接続した状態で照明器具１０に給電可能にしている。またコネクタ１２の接続状態で昇降機構５を不動作状態とするインターロック回路を制御盤２９に設け、これにより照明器具１０に給電されたまま昇降架台３が下ろされることがないようにしている。
【００１７】
このようにコネクタ１２およびコネクタ受け３４ならびに操作スイッチ１３をバランスウエイト装入用開口６のコネクタ収納部に収納しており、操作時は操作スイッチ１３を取り出し、操作スイッチ１３を押している間のみ昇降動作するため、安全に昇降動作ができる。制御盤２９をポール本体１に設置できるため、別途に基礎工事が必要でなく、ポール本体１に電源線を入れるだけで配管工事を終了できる。
【００１８】
また、バランスウエイト４の支持体２５に係止突部４４を設け、係止突部４４に係脱自在に嵌合係止する係止片４３を有し、係止片４３を制御盤２９に設けて電気的または機械的に係止突部４４に係脱可能にし、係止片４３を係止突部４４に係止することにより通常時に支持体２５が不用意に移動しないように安全を図っている。
【００１９】
図２は照明器具１０の点検時の動作状態である。すなわち、コネクタ１２の接続を外し、操作スイッチ１３で昇降機構５の電動ワイヤウインチ２７を駆動し、昇降機構用ワイヤ２６が電動ワイヤウインチ２７に巻き取られバランスウエイト４が上昇する。バランスウエイト４の上昇に伴って昇降架台３が下降し、下限リミットスイッチ３２に当たると、昇降架台３が下限停止支持バーである受け台３１に当たったことを検知し、下限リミットスイッチ３２の動作により昇降機構５の動作が停止する。この状態で照明器具１０の点検・保守が可能となる。つぎに操作スイッチ１３の操作により電動ワイヤウインチ２７に巻かれたワイヤ２６を巻き戻し動作すると、バランスウエイト４が下がり、これと同時に昇降架台３が上昇を始め、ほぼ最上昇位置でピボット２３が位置決め孔１９に嵌合し、またバランスウエイト４が下がり切ると、ワイヤ２６が弛むので弛み検知スイッチが動作し、これにより電動ワイヤウインチ２７が停止する。そしてコネクタ１２をコネクタ受け３４に接続すると照明器具１０に給電状態となり、同時に操作スイッチ１３は操作されても昇降機構５は動作しない。このように、昇降動作はポール内の地面近くにある電動ワイヤウインチ２７のドラムによりワイヤ２６の巻き出しまたは巻き戻しによって、バランスウエイトが上下することにより昇降架台３が上昇、下降するシンプルな構造になっている。その昇降スピードは約４ｍ／分である。また昇降架台３を下降したときに設置灯数の変更が容易にでき、取付け方向を変更することもでき、バランスウエイト４の重量を変更することもできる。
【００２０】
この照明ポールの組立はつぎのように行なわれる。基台２、昇降架台３および昇降機構５をポール本体１に一体的に組立た状態で、バランスウエイト４をバランスウエイト装入用開口６から装着可能にしている。すなわち、工場組立段階において、ポール本体１に、昇降架台３、基台２および昇降機構５の取付けを行なう。このとき昇降架台３を基台２に仮固定している。現地搬入後、現地搬入後車上より荷下ろしし、図３（ａ）に示すようにポール本体１を倒して、支持台４０，４１に斜めに支持し、ポール本体１の昇降架台３にアーム３６、照明器具１０、安定器３０等を取付けかつ結線する。図３（ｂ）に示すようにポール本体１をクレーン３７で吊り上げて垂直にしアンカーボルト３９にセットする。図３（ｃ）に示すようにバランスウエイト装入用開口６よりポール本体１内の支持体２５にウエイトユニット４ａを取付ける。昇降架台３の基台２への仮固定ボルトを分離し、クレーン３７の吊りフック３７ａを分離する。つぎに電源を投入し昇降確認テストを行なう。
【００２１】
この実施の形態によれば、ポール本体１内に昇降架台３より重いバランスウエイト４を設け架台吊下ワイヤ９により滑車８を介して昇降架台３とバランスウエイト４をつなぎ、両者の重量差を少しにして昇降機構５によりバランスウエイト４を上下させることにより、昇降架台３が上昇下降をするようにしている。
この場合、昇降機構５の仕様を昇降架台３の形状に関係なく統一できる。また昇降架台３の重量に合わせてバランスウエイト４を増減でき、設置手段の変更に合わせて昇降機構５は同一仕様のもので対応できる。
【００２２】
つぎに現場の組立が前記の図３に示したように行なえるので、施工時間が大幅に短縮でき、高所作業の時間が短縮できるので作業の安全性があがり、またワイヤ９、ケーブル１１等の主要構造物のメンテナンスが容易であり、交換作業が容易である。さらに吊下高さが従来のように必要でないため、作業用のクレーン等の重機が小型化できる。
【００２３】
また通常時のコネクタ１２にインターロック回路が接続されていることにより昇降動作を制限できるとともに、上限および下限の停止機構が付いているので安全性が向上している。
操作スイッチ１３は遠隔操作でき、昇降架台３の直下で操作するのではなく離れた位置よりできるため安全であり、また操作スイッチ１３を押している状態のみ昇降動作するので昇降架台３の状況を確認しながら動作させるので安全である。
【００２４】
また、従来のバランスウエイト方式の長所を採用し、昇降架台３よりバランスウエイト４を重くすることによりウエイト４とウインチ２７を連結するワイヤ２６が切断しても昇降架台３が落下することはない。また、従来のバランスウエイトはポール本体内をワイヤおよびチエーンのみにより支持されていたため、地震に対しての信頼性が低かったが、この発明はバランスウエイト４を支持する支持体２５がポール本体１内のガイドレール３３により支持され、地震時の振れや遊びがないようにしているため、安全性および信頼性が向上した。
【００２５】
また、ポール本体１内に内蔵するバランスウエイト４について通常時ガイドレール３３とバランスウエイト４が移動しないように、電気的機械的に固定できるようにしているので安全性が向上した。
また、電源ケーブル１１がバランスウエイト４の移動時（昇降時）にバランスウエイト４に収納できる構造をしており、ポール本体１内での引っ掛かり防止や損傷防止を図っている。
【００２６】
また、昇降架台３の下限停止を行なう停止装置の受け台３１に、電気的に停止動作を行なうリミットスイッチ３２を設けるとともに、受け台３１で昇降架台３を支持することができるので、万一昇降架台３が落下した場合の落下防止装置の役目を果たすことができる。
また、基台２は接点、ロック機構等の開閉装置や、電気的開閉装置を設けず、通常では保守、点検の不要な構造となっているので、信頼性を向上している。電気部品はポール本体１の下端の地面近くまたは地上より脚立で作業できる範囲にありメンテナンス性に優れている。
【００２７】
図１０は他の種類の照明器具のポールに適用した例であり、昇降架台３の照明器具の透光器１０ｃは同図（ｃ）に示すように６個設けられている。昇降架台３′、バランスウエイト４′はメンテナンス時の位置を示している。昇降架台３の上昇位置では基台２のカバー２０に被冠されている。その他の構成は前記の実施の形態と同様である。
【００２８】
このように、昇降架台３の照明器具を含む全体の形状が異なる場合においても適用可能であり、この発明は昇降架台３の形状に制限されない構造となっている。
なお、ポール本体１は段付きでもテーパ形でもよい。
【００２９】
【発明の効果】
請求項１記載の照明ポールによれば、照明ポールを組み立てるとき、基台、昇降架台および昇降機構は予め組み込んでおき、バランスウエイトは現場でポール本体の基端部の近傍のバランスウエイト装入用開口から挿入し、架台吊下ワイヤに連結することにより、現場組立作業の簡略化、クレーンの小型化、高所作業時間の短縮が可能となり、組立作業をより安全に行なうことができる。
【００３０】
また、バランスウエイトの取付作業が安全で容易な作業となるとともに、バランスウエイト装入用開口を小さくできる。
請求項２記載の照明ポールによれば、請求項１と同様な効果のほか、コネクタが接続されたままで昇降機構が動作しないので照明器具に給電されたまま照明器具が下降することがなく安全が図れる。
請求項３記載の照明ポールによれば、請求項１と同様な効果のほか、受け台のリミットスイッチで昇降架台の下限停止を行なうことができるとともに、受け台で昇降架台を支持することができるので、万一昇降架台が落下した場合の落下防止装置の役目を果たすことができる。
【図面の簡単な説明】
【図１】この発明の一実施の形態の通常時の概略正面図である。
【図２】その点検時の概略正面図である。
【図３】施工状態を説明する説明図である。
【図４】基台および昇降架台を示す部分正面図である。
【図５】その部分側面図である。
【図６】そのポール本体の下端部の断面正面図である。
【図７】その断面側面図である。
【図８】ポール本体のウインチ部分の横断面図である。
【図９】ポール本体の制御盤部分の横断面図である。
【図１０】別の実施の形態の照明ポールを示す正面図（ａ）、側面図（ｂ）および昇降架台の底面図である。
【図１１】従来例の説明図である。
【図１２】従来例のポール本体の設置を示す断面図である。
【図１３】従来例の昇降架台をポール本体に挿入し、基台をポール本体に挿入する過程を示す断面図である。
【図１４】昇降架台に基台より吊り下げたワイヤを固定した状態の断面図である。
【図１５】基台の天板と下板のセットボルトを外して基台を吊り下げた状態の断面図である。
【図１６】バランスウエイトを基台から外し、基台を再度下板に取付け、かつカバーを取付けた状態の断面図である。
【符号の説明】
１    ポール本体
２    基台
３    昇降架台
４    バランスウエイト
４ａ    ウエイトユニット
５    昇降機構
６    バランスウエイト装入用開口
７    地面
８    滑車
９    ワイヤ
１０    照明器具
１１    電源ケーブル
１２    コネクタ
１３    操作スイッチ
２５    支持体
【図１】
0003956451.tif 000002
【図２】
0003956451.tif 000003
【図３】
0003956451.tif 000004
【図４】
0003956451.tif 000005
【図５】
0003956451.tif 000006
【図６】
0003956451.tif 000007
【図７】
0003956451.tif 000008
【図８】
0003956451.tif 000009
【図９】
0003956451.tif 000010
【図１０】
0003956451.tif 000011
【図１１】
0003956451.tif 000012
【図１２】
0003956451.tif 000013
【図１３】
0003956451.tif 000014
【図１４】
0003956451.tif 000015
【図１５】
0003956451.tif 000016
【図１６】
0003956451.tif 000017